(57)【要約】【課題】画像の視認性を高めることができるプログラム等を提供すること。【解決手段】携帯電話は、第１または第２スキャンコマンドをＭＦＰへ送信する。携帯電話は、携帯電話視認性情報とＭＦＰ視認性情報とを比較する。ＭＦＰのパネルの方が視認性がよい場合には、スキャン処理で処理された画像データであるスキャンデータによって表されるスキャン画像をＭＦＰのパネルに表示させ第２スキャンコマンドを、ＭＦＰへ送信する。携帯電話のパネルの方が視認性がよい場合には、ＭＦＰから受信したスキャンデータによって表されるスキャン画像を、携帯電話のパネルに表示させる。スキャン画像が表示された後にスキャン処理とは異なるトリミング処理などの実行命令を受け付けることを条件として、スキャンデータに対するトリミング処理などを実行する。【選択図】図２
2014022960.tif 000002
【特許請求の範囲】
【請求項１】
画像処理装置と通信可能な第１通信部と第１表示部とを備えた情報処理端末のコンピュータが読み取り可能なプログラムであって、
前記画像処理装置で実行される処理である第１画像処理の実行命令を第１通信部に画像処理装置へ送信させる第１通信制御手段と、
前記情報処理端末が備える前記第１表示部の視認性に関する情報と、前記画像処理装置が備える第２表示部の視認性に関する情報とを比較する比較手段と、
前記第２表示部の方が視認性がよい場合には前記第１画像処理で処理された画像データである第１画像データによって表される第１画像を前記第２表示部に表示させる命令を前記第１通信部に前記画像処理装置へ送信させ、前記第１表示部の方が視認性がよい場合には、前記画像処理装置から前記第１通信部が受信した前記第１画像データによって表される前記第１画像を前記第１表示部に表示させる第１表示制御手段と、
前記第１画像が表示された後に前記第１画像処理とは異なる第２画像処理の実行命令を受け付けることを条件として、前記第１画像データに対する第２画像処理を実行させる処理実行制御手段と、
して前記情報処理端末を機能させることを特徴とするプログラム。
【請求項２】
前記第２画像処理を前記画像処理装置に実行させる第１命令を受け付けるための第１オブジェクト画像を前記第１表示部に表示させる第２表示制御手段としてさらに前記情報処理端末を機能させ、
前記処理実行制御手段は、前記第１オブジェクト画像を第２表示制御手段が前記第１表示部に表示させた後で前記第１命令が受け付けられることを条件として、前記第２画像処理の実行命令を前記第１通信部に前記画像処理装置へ送信させることを特徴とする請求項１に記載のプログラム。
【請求項３】
前記処理実行制御手段は、第１オブジェクト画像が前記第１表示部に表示された後で、前記第１命令と、前記画像処理装置で前記第２画像処理を実行するための処理情報の入力と、が受け付けられることを条件として、前記第２画像処理の実行命令と、前記処理情報を前記第１通信部に前記画像処理装置へ送信させることを特徴とする請求項２に記載のプログラム。
【請求項４】
前記第１画像データに対する前記第２画像処理を前記情報処理端末に実行させる第２命令を受け付けるための第２オブジェクト画像を前記第１表示部に表示させる第３表示制御手段と、
前記第１画像を前記第１表示制御手段が前記第１表示部に表示させていない場合には、前記第２オブジェクト画像を前記第３表示制御手段が前記第１表示部に表示させた後で前記第２命令が受け付けられることを条件として、前記第１画像を前記第１表示部に表示させる第４表示制御手段と、
してさらに前記情報処理端末を機能させ、
前記処理実行制御手段は、前記第２オブジェクト画像を前記第３表示制御手段が前記第１表示部に表示させた後で前記第２命令が受け付けられることを条件として、前記第１画像データに対して前記第２画像処理を実行して第２画像データを生成させ、生成させた前記第２画像データによって表される第２画像を前記第２表示部に表示させる命令を前記第１通信部に前記画像処理装置へ送信させることを特徴とする請求項１〜３の何れか１項に記載のプログラム。
【請求項５】
情報処理端末と通信可能な第２通信部と、
第２表示部と、
前記画像処理装置で実行される処理である第１画像処理の実行命令を前記情報処理端末から受信することを条件として前記第１画像処理を実行し、前記第１画像処理で処理された第１画像データを前記第２通信部に前記情報処理端末へ送信させる第１通信制御手段と、
前記情報処理端末が備える第１表示部と前記画像処理装置が備える前記第２表示部とを比較し、前記第１表示部の方が視認性がよい場合には前記第１画像処理で処理された画像データである前記第１画像データによって表される第１画像を前記第１表示部に表示させる命令を前記第２通信部に前記画像処理装置へ送信させ、前記第２表示部の方が視認性がよい場合には前記情報処理端末から前記第２通信部が受信した前記第１画像データによって表される前記第１画像を前記第２表示部に表示させる第１表示制御手段と、
前記第１画像が表示された後に前記第１画像処理とは異なる第２画像処理の実行命令を受け付けることを条件として、前記第１画像データに対する第２画像処理を実行させる処理実行制御手段と、
を備えることを特徴とする画像処理装置。
【請求項６】
前記処理実行制御手段は、前記画像処理装置で前記第２画像処理を実行するための処理情報を前記第２通信部が前記情報処理端末から受信したことを条件として、受信した前記処理情報を用いて前記第２画像処理を実行することを特徴とする請求項５に記載の画像処理装置。
【請求項７】
前記第１表示制御手段は、前記第１画像を前記第２表示部に表示させている場合には、前記第１画像データに対する前記第２画像処理を前記情報処理端末で実行することを報知する報知情報を前記第２通信部が前記情報処理端末から受信することを条件として、前記第１画像の前記第２表示部への表示を終了させ、
前記第１表示制御手段は、前記第１画像データに対して前記第２画像処理を実行して生成された第２画像データを前記第２通信部が前記情報処理端末から受信することを条件として、受信した前記第２画像データによって表される第２画像を前記第２表示部に表示させることを特徴とする請求項５または６に記載の画像処理装置。
【請求項８】
情報処理端末と画像処理装置とを備える画像処理システムであって、
前記情報処理端末は、
画像処理装置と通信可能な第１通信部と、
第１表示部と、
通信制御手段と、
表示制御手段と、
第１処理実行制御手段と、を備え、
前記画像処理装置は、
情報処理端末と通信可能な第２通信部と、
第２表示部と、
第２処理実行制御手段と、を備え、
前記情報処理端末の前記通信制御手段は、
前記画像処理装置で実行される処理である第１画像処理の実行命令を第１通信部に画像処理装置へ送信させ、
前記画像処理装置の前記第２処理実行制御手段は、前記第１画像処理の実行命令を前記情報処理端末から受信することを条件として前記第１画像処理を実行し、前記第１画像処理で処理された第１画像データを前記第２通信部に前記情報処理端末へ送信させ、
前記情報処理端末の前記表示制御手段は、前記情報処理端末が備える前記第１表示部と前記画像処理装置が備える第２表示部とを比較し、前記第２表示部の方が視認性がよい場合には前記第１画像処理で処理された画像データである前記第１画像データによって表される第１画像を前記第２表示部に表示させる命令を前記第１通信部に前記画像処理装置へ送信させ、前記第１表示部の方が視認性がよい場合には前記画像処理装置から前記第１通信部が受信した前記第１画像データによって表される前記第１画像を前記第１表示部に表示させ、
前記情報処理端末の前記第１処理実行制御手段は、前記第１画像が表示された後に前記第１画像処理とは異なる第２画像処理の実行命令を受け付けることを条件として、前記第１画像データに対する第２画像処理を実行させることを特徴とする画像処理システム。
【発明の詳細な説明】
【技術分野】
【０００１】
本明細書に開示する技術は、画像の視認性を高めることができるプログラム、画像処理装置および画像処理システムに関する。
【背景技術】
【０００２】
携帯電話などのモバイル端末からスキャナなどの画像形成装置に対して、スキャン処理などの画像処理を実行させることが可能な、モバイル端末上で動作するアプリケーションが知られている。モバイル端末は、画像形成装置で画像処理が実行されると、処理された画像データを画像形成装置から受信する。モバイル端末は、受信した画像データに基づいて画像を表示画面に表示するとともに、画像データを保存するなどの各種の操作入力を受け付ける。なお、関連する文献として、特許文献１が知られている。
【先行技術文献】
【特許文献】
【０００３】
【特許文献１】特開２００９‐１２２８９１号公報
【発明の概要】
【発明が解決しようとする課題】
【０００４】
携帯電話などの小型のモバイル端末は、タブレット端末などの大型のモバイル端末に比して、表示画面のサイズが小さい。そして、小さな表示画面に画像を表示させる場合には、画像の視認性が低くなるため、ユーザが画像を確認しにくくなることがある。本明細書では、このような不便性を解消することができる技術を提供する。
【課題を解決するための手段】
【０００５】
本明細書に開示するプログラムは、画像処理装置と通信可能な第１通信部と第１表示部とを備えた情報処理端末のコンピュータが読み取り可能なプログラムであって、画像処理装置で実行される処理である第１画像処理の実行命令を第１通信部に画像処理装置へ送信させる第１通信制御手段と、情報処理端末が備える第１表示部の視認性に関する情報と、画像処理装置が備える第２表示部の視認性に関する情報とを比較する比較手段と、第２表示部の方が視認性がよい場合には第１画像処理で処理された画像データである第１画像データによって表される第１画像を第２表示部に表示させる命令を第１通信部に画像処理装置へ送信させ、第１表示部の方が視認性がよい場合には、画像処理装置から第１通信部が受信した第１画像データによって表される第１画像を第１表示部に表示させる第１表示制御手段と、第１画像が表示された後に第１画像処理とは異なる第２画像処理の実行命令を受け付けることを条件として、第１画像データに対する第２画像処理を実行させる処理実行制御手段と、して情報処理端末を機能させることを特徴とする。
【０００６】
これにより、情報処理端末が備える第１表示部と画像処理装置が備える第２表示部とのうち、より視認性がよい方へ第１画像を表示させることができる。よって、ユーザに、視認性が高い状態で第１画像を確認させつつ、第２画像処理を実行することが可能となる。
【０００７】
また、請求項２に記載のプログラムでは、第２画像処理を実行させるための第１命令を受け付けるための第１オブジェクト画像を、情報処理端末の第１表示部に表示させることができる。これにより、例えば、画像処理装置の第２表示部を第１画像を表示するために機能させ、情報処理端末の第１表示部を第１オブジェクト画像を表示させるために機能させる、などのように、表示部の機能を分担させることができる。よって、第１画像の視認性を向上させることと、操作性を向上させることを両立することが可能となる。よって、画像処理装置側で処理情報を入力する操作を行う必要を無くすことができるため、ユーザの利便性を高めることができる。
【０００８】
また、請求項４に記載のプログラムでは、第２画像処理を情報処理端末で実行する場合には、第２画像処理の対象となる第１画像を、情報処理端末の第１表示部に表示させることができる。また、第２画像処理の実行後には、処理後の第２画像を、画像処理装置の第２表示部に表示させることができる。これにより、第２画像処理を実行しやすくすることと、第２画像の視認性を向上させることを両立することが可能となる。
【０００９】
また、請求項５に記載の画像処理装置では、情報処理端末が備える第１表示部と画像処理装置が備える第２表示部とのうち、より視認性がよい方へ第１画像を表示させることができる。よって、第１画像の視認性を高くすることができるため、ユーザに第１画像を確実に確認させることが可能となる。
【００１０】
また、請求項６に記載の画像処理装置では、情報処理端末を、画像処理装置で使用する処理情報を入力する端末として機能させることができる。よって、画像処理装置側で処理情報を入力する操作を行う必要を無くすことができるため、ユーザの利便性を高めることができる。
【００１１】
また、請求項７に記載の画像処理装置では、第２画像処理を情報処理端末で実行する場合には、第２画像処理の対象となる第１画像を、画像処理装置の第２表示部から消去することができる。また、第２画像処理の実行後には、処理後の第２画像を、画像処理装置の第２表示部に表示させることができる。これにより、第２画像処理を実行しやすくすることと、第２画像の視認性を向上させることを両立することが可能となる。
【００１２】
なお、上記の技術を実現するための画像処理システムも、新規で有用である。
【図面の簡単な説明】
【００１３】
【図１】通信システムのブロック図である。
【図２】携帯電話で行われる処理を説明するフローチャートである。
【図３】携帯電話で行われる処理を説明するフローチャートである。
【図４】ＭＦＰで行われる処理を説明するフローチャートである。
【図５】ＭＦＰで行われる処理を説明するフローチャートである。
【図６】携帯電話で行われる処理を説明するフローチャートである。
【図７】ＭＦＰで行われる処理を説明するフローチャートである。
【発明を実施するための形態】
【００１４】
＜第１実施形態＞
＜通信システムの構成＞
図１に、本実施形態として例示される通信システム１のブロック図を示す。通信システム１は、携帯電話１０、第１ＭＦＰ（Multifunction Peripheralの略）５１、第２ＭＦＰ５２、アクセスポイント６２、基地局６１を備える。携帯電話１０、第１ＭＦＰ５１および第２ＭＦＰ５２は、既知の無線ＬＡＮ端末装置としての機能を備える。また第１ＭＦＰ５１および第２ＭＦＰ５２は、電話回線網１００を使用した通信機能を備える。アクセスポイント６２は、既知の無線ＬＡＮアクセスポイントとしての機能を備える。
【００１５】
第１ＭＦＰ５１は、複数の機能を備える多機能周辺装置である。複数の機能の例としては、ファックス送信機能、受信ファックス閲覧機能、スキャン機能、印刷機能、などが挙げられる。ファックス送信機能は、電話回線網１００を介して不図示の外部の装置へ画像データを送信する機能である。受信ファックス閲覧機能は、電話回線網１００を介して不図示の外部の装置から画像データを受信し、受信した画像データを出力する機能である。スキャン機能は、スキャナ２０を用いて原稿をスキャンし、画像データを生成する機能である。印刷機能は、プリンタ１９を用いて画像データを印刷用紙に印刷する機能である。なお、第２ＭＦＰ５２が備える機能は、前述した第１ＭＦＰ５１が備える機能と同様であるため、説明を省略する。
【００１６】
＜携帯電話の構成＞
携帯電話１０の構成について説明する。図１に示すように、携帯電話１０は、制御部６、無線送受信部１５、無線アンテナ部１６、ボタン入力部１７、パネル１８、携帯電話送受信部２２、携帯電話アンテナ部２３、カメラ部２７、を主に備えている。また、通話や音声入力を行うために、スピーカ３とマイク４とを備えている。これらの構成要素は、入出力ポート７を介して互いに通信可能とされている。
【００１７】
制御部６は、ＣＰＵ（Central Processing Unitの略）１１、記憶部１２、ＲＡＭ（Random Access Memoryの略）１３を備えている。ＣＰＵ１１は、記憶部１２内のプログラム２１に従って処理を実行する。以降、スキャンアプリケーション２８ａやＯＳ２９など、プログラムを実行するＣＰＵ１１のことを、単にプログラム名でも記載する場合がある。例えば「スキャンアプリケーション２８ａが」という記載は、「スキャンアプリケーション２８ａを実行するＣＰＵ１１が」を意味する場合がある。ＲＡＭ１３は、揮発性の記憶部である。記憶部１２は、不揮発性の記憶部である。記憶部１２は、ＲＯＭ（Read Only Memoryの略）、フラッシュメモリ、ＨＤＤ（ハードディスクの略）などが組み合わされて構成されている。記憶部１２は、プログラム２１および情報記憶領域３０を記憶している。
【００１８】
プログラム２１は、スキャンアプリケーション２８ａ、印刷アプリケーション２８ｂ、ＯＳ（Operating Systemの略）２９等を含んでいる。スキャンアプリケーション２８ａは、スキャン処理を第１ＭＦＰ５１や第２ＭＦＰ５２に実行させるためのプログラムである。印刷アプリケーション２８ｂは、印刷処理を第１ＭＦＰ５１や第２ＭＦＰ５２に実行させるためのプログラムである。スキャンアプリケーション２８ａや印刷アプリケーション２８ｂは、予め携帯電話１０に備えられているとしてもよい。ＯＳ２９は、携帯電話送受信部２２に無線通信２１０を実行させるためのプログラムや、無線送受信部１５に無線ＬＡＮ通信２０１を実行させるためのプログラム等を含む。またＯＳ２９は、無線送受信部１５などの各種のハードウェアが取得した情報を各プログラムが取得するための、もしくは、各プログラムが各種ハードウェアに指示をするためのＡＰＩ（Application Programming Interfaceの略）を提供するプログラムでもある。
【００１９】
情報記憶領域３０は、携帯電話視認性情報、ＭＦＰ視認性情報、携帯電話表示フラグ、ＭＦＰ表示フラグ、などを記憶している。携帯電話視認性情報は、携帯電話１０に備えられているパネル１８の視認性に関する情報である。視認性に関する情報の例としては、パネルの大きさ（例：４インチ）や、パネルの解像度（例：６４０×４８０画素）などが挙げられる。パネルの大きさやパネルの解像度が大きくなるほど、パネルに表示することができる情報量が大きくなるため、視認性が高くなる。携帯電話視認性情報は、携帯電話１０の製造時に予め記憶されるとしてもよい。ＭＦＰ視認性情報は、各種のＭＦＰに備えられているパネルの視認性に関する情報である。各種のＭＦＰには、第１ＭＦＰ５１や第２ＭＦＰ５２などが含まれている。ＭＦＰ視認性情報は、各種のＭＦＰの各々を識別するための型番情報と、各ＭＦＰが備えるパネルの大きさおよび解像度の情報とが、対応付けられて含まれている。携帯電話表示フラグは、携帯電話１０が備えるパネル１８の方が、各種の処理を実行させるＭＦＰが備えるパネルよりも視認性が高い場合には「オン」となり、視認性が高くない場合には「オフ」となるフラグである。ＭＦＰ表示フラグは、各種の処理を実行させるＭＦＰが備えるパネルの方が、携帯電話１０が備えるパネル１８よりも視認性が高い場合には「オン」となり、視認性が高くない場合には「オフ」となるフラグである。
【００２０】
無線送受信部１５は、無線アンテナ部１６を介して、無線ＬＡＮ方式のインフラストラクチャーモードに準拠する無線ＬＡＮ通信２０１を行う。インフラストラクチャーモードは、複数の無線ＬＡＮ端末装置が、アクセスポイントを介してデータ通信するモードである。そして、無線送受信部１５により、各種のデータを構成するデジタル信号が送受信される。なお、無線ＬＡＮ方式の例としては、例えばＩＥＥＥ８０２．１１ａ／ｂ／ｇ／ｎの規格で定められる通信方式が挙げられる。また、携帯電話送受信部２２は、携帯電話アンテナ部２３を介して、基地局６１との間で携帯電話通信の方式に準拠する無線通信２１０を行う。
【００２１】
ボタン入力部１７は、携帯電話１０の使用者による操作を受け付ける操作手段である。ボタン入力部１７は、タッチパネルとして、パネル１８と一体に構成されている。パネル１８は、各種の画像を表示する。カメラ部２７は、ＣＣＤ等により所定範囲を撮影して画像データを取得する部位である。
【００２２】
＜ＭＦＰの構成＞
第１ＭＦＰ５１の構成について説明する。第１ＭＦＰ５１は、プリンタ１９、スキャナ２０、ＣＰＵ３２、ＲＯＭ３３、ＲＡＭ３４、ＮＶＲＡＭ（Non-Volatile RAMの略）３５、無線送受信部３６、無線アンテナ部３７、ボタン入力部３８、パネル３９、モデム４０、電話回線接続部４１、表示灯４５、を主に備えている。これらの構成要素は、入出力ポート４３を介して互いに通信可能とされている。ＲＯＭ３３は、各種のプログラムを記憶する。ＣＰＵ３２は、ＲＯＭ３３に記憶されているプログラムを実行する。ＲＡＭ３４は、揮発性のメモリである。ＮＶＲＡＭ３５は、不揮発性のメモリである。
【００２３】
無線送受信部３６は、無線アンテナ部３７を介してアクセスポイント６２との間で無線ＬＡＮ通信２０３を行うことにより、各種のデータを構成するデジタル信号を送受信する。ボタン入力部３８は、第１ＭＦＰ５１の各機能を実行するためのキーである。ボタン入力部３８は、タッチパネルとして、パネル３９と一体に構成されていてもよい。パネル３９は、各種の画像を表示する。プリンタ１９は、印刷用紙に印刷を実行する部位である。スキャナ２０は、紙の原稿をスキャンして、画像データを生成する部位である。モデム４０は、ファクシミリ機能によって送信する原稿データを、電話回線網１００に伝送可能な信号に変調して電話回線接続部４１を介して送信したり、電話回線網１００から電話回線接続部４１を介して入力された信号を受信し、原稿データへ復調するものである。表示灯４５は、ＬＥＤ（Light Emitting Diodeの略）等を備えており、第１ＭＦＰ５１の各種ステータスを使用者に報知するための部位である。なお、第２ＭＦＰ５２の構成については、前述した第１ＭＦＰ５１と同様であるため、説明を省略する。
【００２４】
携帯電話１０とアクセスポイント６２とは、無線ＬＡＮ通信２０１を行うことが可能とされている。また、第１ＭＦＰ５１および第２ＭＦＰ５２とアクセスポイント６２とは、無線ＬＡＮ通信２０３および２０４を行うことが可能とされている。よって、無線ＬＡＮ通信２０１および２０３が行える状態になることで、携帯電話１０と第１ＭＦＰ５１との間でデータ通信をすることが可能になる。また、無線ＬＡＮ通信２０１および２０４が行える状態になることで、携帯電話１０と第２ＭＦＰ５２との間でデータ通信をすることが可能になる。
【００２５】
＜携帯電話の動作＞
図２および図３を用いて、携帯電話１０で行われる処理を説明する。図２および図３のフローは、携帯電話１０でスキャンアプリケーション２８ａが起動されることに応じて開始される。Ｓ５においてＣＰＵ１１は、スキャン処理を実行させるＭＦＰの選択を受け付けたか否かを判断する。例えば、携帯電話１０が通信可能なＭＦＰである第１ＭＦＰ５１および第２ＭＦＰ５２の識別情報（例：ＩＰアドレス）が、パネル１８に表示されるとしてもよい。そして、識別情報がタッチされたＭＦＰが、スキャン処理を実行させるＭＦＰとして選択されるとしてもよい。スキャン処理を実行させるＭＦＰが選択されていない場合（Ｓ５：ＮＯ）にはＳ５へ戻り、選択された場合（Ｓ５：ＹＥＳ）にはＳ７へ進む。第１実施形態の説明例では、スキャン処理を実行させるＭＦＰとして第１ＭＦＰ５１が選択された場合を、以下に説明する。
【００２６】
Ｓ７においてＣＰＵ１１は、携帯電話１０のパネル１８と、第１ＭＦＰ５１のパネル３９のどちらの方が視認性が高いかを判断する。具体的には、無線ＬＡＮ通信２０１および２０３を介して、携帯電話１０と第１ＭＦＰ５１との間でデータ通信をすることで、第１ＭＦＰ５１の型番情報を受信する。ＣＰＵ１１は、第１ＭＦＰ５１の型番情報に基づいて、第１ＭＦＰ５１のパネルの大きさについての情報を、情報記憶領域３０に記憶されているＭＦＰ視認性情報の中から検索する。またＣＰＵ１１は、携帯電話１０のパネル１８の大きさについての情報を、情報記憶領域３０に記憶されている携帯電話視認性情報から読み出す。そして、第１ＭＦＰ５１のパネルの大きさと携帯電話１０のパネル１８の大きさとを比較し、パネルが大きい方が視認性が高いと判断する。
【００２７】
携帯電話１０のパネル１８の方が視認性が高い場合（Ｓ７：携帯電話）には、Ｓ９へ進む。Ｓ９においてＣＰＵ１１は、携帯電話表示フラグを「オン」にする。Ｓ１１においてＣＰＵ１１は、第１スキャンコマンドを第１ＭＦＰ５１へ送信する。第１スキャンコマンドは、第１ＭＦＰ５１にスキャン処理を実行させるとともに、スキャン処理の実行によって第１ＭＦＰ５１が得たスキャンデータを、第１ＭＦＰ５１から携帯電話１０に送信させるための命令である。携帯電話１０は、第１ＭＦＰ５１から受信したスキャンデータによって表されるスキャン画像を携帯電話１０のパネル１８に表示する。そしてＳ１６へ進む。
【００２８】
一方、Ｓ７において、第１ＭＦＰ５１のパネル３９の方が視認性が高い場合（Ｓ７：ＭＦＰ）には、Ｓ１３へ進む。Ｓ１３においてＣＰＵ１１は、ＭＦＰ表示フラグを「オン」にする。Ｓ１５においてＣＰＵ１１は、第２スキャンコマンドを第１ＭＦＰ５１へ送信する。第２スキャンコマンドは、第１ＭＦＰ５１へスキャン処理を実行させるとともに、第１ＭＦＰ５１で実行されたスキャン処理によって生成されたスキャンデータによって表されるスキャン画像を第１ＭＦＰ５１のパネル３９に表示させるための命令である。そしてＳ１６へ進む。
【００２９】
また、Ｓ７において、第１ＭＦＰ５１の型番情報を受信できず、何れのパネルの方が視認性が高いかを判断できなかった場合（Ｓ７：判断不可）には、Ｓ１１へ進む。この場合には、携帯電話表示フラグおよびＭＦＰ表示フラグの両方が「オフ」となる。第１ＭＦＰ５１の型番情報を受信できない場合の例としては、第１ＭＦＰ５１が本明細書に記載されている技術に対応していないＭＦＰである場合が挙げられる。
【００３０】
Ｓ１６においてＣＰＵ１１は、パネル１８に「スキャン処理中」の文字列と、キャンセルボタン画像と、を表示させる。キャンセルボタン画像は、各種の処理をキャンセルする操作を付けるための画像である。Ｓ１７においてＣＰＵ１１は、キャンセルボタン画像がタッチされたか否かを判断する。タッチされた場合（Ｓ１７：ＹＥＳ）にはＳ１８へ進み、ＣＰＵ１１は、キャンセルコマンドを第１ＭＦＰ５１へ送信する。キャンセルコマンドは、第１ＭＦＰ５１に、スキャン処理を途中で中止させるための命令である。そして、携帯電話表示フラグおよびＭＦＰ表示フラグを「オフ」にリセットした上で、フローを終了する。一方、キャンセルボタン画像がタッチされていない場合（Ｓ１７：ＮＯ）には、Ｓ１９へ進む。
【００３１】
Ｓ１９においてＣＰＵ１１は、スキャンデータを第１ＭＦＰ５１から受信したか否かを判断する。受信していない場合（Ｓ１９：ＮＯ）にはＳ１６へ戻る。一方、受信した場合（Ｓ１９：ＹＥＳ）には、受信したスキャンデータをＲＡＭ１３に一時的に記憶させ、Ｓ２１へ進む。
【００３２】
Ｓ２１においてＣＰＵ１１は、何れの表示フラグが「オン」であるかを判断する。携帯電話表示フラグが「オン」である場合（Ｓ２１：携帯電話表示フラグ）には、Ｓ２２へ進む。Ｓ２２においてＣＰＵ１１は、スキャン画像をパネル１８に表示させる。スキャン画像は、Ｓ１９において第１ＭＦＰ５１から受信したスキャンデータによって表される画像である。またＣＰＵ１１は、スキャン画像と共に、保存ボタン画像、ＦＡＸ送信ボタン画像、トリミングボタン画像、をパネル１８に表示させる。保存ボタン画像は、スキャンデータの保存処理の実行命令を受け付けるための画像である。保存処理は、ＲＡＭ１３に一時的に記憶されているスキャンデータを、不揮発性の記憶部１２に記憶させる処理である。ＦＡＸ送信ボタン画像は、ＦＡＸ送信処理の実行命令を受け付けるための画像である。ＦＡＸ送信処理は、電話回線網１００を介して、不図示の外部の装置へスキャンデータを送信する処理である。トリミングボタン画像は、トリミング処理の実行命令を受け付けるための画像である。トリミング処理は、スキャン画像の一部を切り出した画像である、トリミング画像を生成する処理である。
【００３３】
一方、Ｓ２１において、ＭＦＰ表示フラグが「オン」である場合（Ｓ２１：ＭＦＰ表示フラグ）には、Ｓ２３へ進む。Ｓ２３においてＣＰＵ１１は、保存ボタン画像、ＦＡＸ送信ボタン画像、トリミングボタン画像、をパネル１８に表示させる。なお、スキャン画像はパネル１８には表示されない。そしてＳ２９へ進む。
【００３４】
また、Ｓ２１において、携帯電話表示フラグおよびＭＦＰ表示フラグが「オフ」である場合（Ｓ２１：何れの表示フラグも「オフ」）には、Ｓ２４へ進む。Ｓ２４においてＣＰＵ１１は、スキャン画像、保存ボタン画像、トリミングボタン画像、をパネル１８に表示させる。なお、ＦＡＸ送信ボタン画像はパネル１８には表示されない。そしてＳ２９へ進む。
【００３５】
Ｓ２９においてＣＰＵ１１は、保存ボタン画像がタッチされたか否かを判断する。保存ボタン画像がタッチされた場合（Ｓ２９：ＹＥＳ）にはＳ３１へ進み、ＣＰＵ１１は、ＲＡＭ１３に記憶されているスキャンデータを記憶部１２に記憶させる。これにより、第１ＭＦＰ５１から受信したスキャンデータの保存処理が完了する。Ｓ３３においてＣＰＵ１１は、第１ＭＦＰ５１へ終了コマンドを送信する。終了コマンドは、第１ＭＦＰ５１に、スキャン処理を終了させるための命令である。そして、携帯電話表示フラグおよびＭＦＰ表示フラグを「オフ」にリセットした上で、フローを終了する。
【００３６】
一方、Ｓ２９において保存ボタン画像がタッチされていない場合（Ｓ２９：ＮＯ）には、Ｓ４１へ進む。Ｓ４１においてＣＰＵ１１は、ＦＡＸ送信ボタン画像がタッチされたか否かを判断する。ＦＡＸボタン画像がタッチされていない場合（Ｓ４１：ＮＯ）にはＳ４７へ進み、タッチされた場合（Ｓ４１：ＹＥＳ）にはＳ４３へ進む。Ｓ４３においてＣＰＵ１１は、ＦＡＸ番号の入力を受け付ける。例えば、テンキーの画像をパネル１８に表示することで、ユーザによるＦＡＸ番号の入力操作を受け付けてもよい。Ｓ４５においてＣＰＵ１１は、ＦＡＸ送信コマンドおよびＦＡＸ番号を第１ＭＦＰ５１へ送信する。ＦＡＸ送信コマンドは、第１ＭＦＰ５１に、ＦＡＸ送信処理を実行させるための命令である。そしてＳ４７へ進む。
【００３７】
Ｓ４７においてＣＰＵ１１は、トリミングボタン画像がタッチされたか否かを判断する。トリミングボタン画像がタッチされていない場合（Ｓ４７：ＮＯ）にはＳ２９へ戻り、タッチされた場合（Ｓ４７：ＹＥＳ）にはＳ４８へ進む。Ｓ４８においてＣＰＵ１１は、何れの表示フラグが「オン」であるかを判断する。携帯電話表示フラグが「オン」である場合（Ｓ４８：携帯電話表示フラグ）、および、携帯電話表示フラグおよびＭＦＰ表示フラグが「オフ」である場合（Ｓ４８：何れの表示フラグも「オフ」）には、Ｓ５３へ進む。一方、ＭＦＰ表示フラグが「オン」である場合（Ｓ４８：ＭＦＰ表示フラグ）にはＳ４９へ進む。
【００３８】
Ｓ４９においてＣＰＵ１１は、第１切り替えコマンドを第１ＭＦＰ５１へ送信する。第１切り替えコマンドは、スキャンデータによって表されるスキャン画像の、第１ＭＦＰ５１のパネル３９への表示を終了させるための命令である。Ｓ５１においてＣＰＵ１１は、スキャン画像を携帯電話１０のパネル１８に表示させる。Ｓ５３においてＣＰＵ１１は、携帯電話１０のパネル１８に表示されているスキャン画像を表示しているスキャンデータに対して、トリミング処理を実行する。トリミング処理は、例えば、ユーザがパネル１８にドラッグ操作を入力することによってトリミングする範囲が決定され、不図示のＯＫボタン画像がタッチされることによって行われてもよい。これにより、パネル１８でスキャン画像を見ながら、スキャンデータに対するトリミング処理を携帯電話１０で行うことができるため、ユーザの利便性を高めることができる。トリミング処理によって、スキャン画像の一部を切り出した画像であるトリミング画像を表示させるためのトリミングデータが生成される。生成されたトリミングデータは、新たなスキャンデータとしてＲＡＭ３４に上書き記憶される。そして、トリミングデータに基づいたトリミング画像が、新たなスキャン画像としてパネル１８に更新表示される。
【００３９】
Ｓ５５においてＣＰＵ１１は、何れの表示フラグが「オン」であるかを判断する。携帯電話表示フラグが「オン」である場合（Ｓ５５：携帯電話表示フラグ）、および、携帯電話表示フラグおよびＭＦＰ表示フラグが「オフ」である場合（Ｓ５５：何れの表示フラグも「オフ」）には、Ｓ５９へ進む。Ｓ５９においてＣＰＵ１１は、トリミング処理によって生成されたトリミング画像データによって表されるトリミング画像を、パネル１８に表示する。そして、Ｓ２９へ戻る。一方、ＭＦＰ表示フラグが「オン」である場合（Ｓ５５：ＭＦＰ表示フラグ）には、Ｓ５７へ進む。Ｓ５７においてＣＰＵ１１は、第２切り替えコマンドおよびトリミング画像データを、第１ＭＦＰ５１へ送信する。第２切り替えコマンドは、トリミング画像データによって表されるトリミング画像を、第１ＭＦＰ５１のパネル３９に表示させるための命令である。そして、Ｓ２９へ戻る。
【００４０】
＜ＭＦＰの動作＞
図４および図５を用いて、第１ＭＦＰ５１で行われる処理を説明する。図４および図５のフローは、第１ＭＦＰ５１の電源が投入されている間に実行される。Ｓ１０６においてＣＰＵ３２は、携帯電話１０から第１スキャンコマンドまたは第２スキャンコマンドを受信したか否かを判断する。受信していない場合（Ｓ１０６：ＮＯ）には図５のＳ１２９へ進み、受信した場合（Ｓ１０６：ＹＥＳ）にはＳ１０８へ進む。Ｓ１０８においてＣＰＵ３２は、パネル３９に「スキャン処理中」の文字列を表示させる。Ｓ１１０においてＣＰＵ３２は、スキャン処理をスキャナ２０に実行させる。
【００４１】
Ｓ１１２においてＣＰＵ３２は、携帯電話１０からキャンセルコマンドを受信したか否かを判断する。受信した場合（Ｓ１１２：ＹＥＳ）にはＳ１１３へ進む。Ｓ１１３においてＣＰＵ３２は、「スキャン処理中」の文字列の表示を終了させる。そしてＳ１２９へ進む。一方、キャンセルコマンドを受信していない場合（Ｓ１１２：ＮＯ）にはＳ１１６へ進む。Ｓ１１６においてＣＰＵ３２は、スキャン処理で生成されたスキャンデータを、ＲＡＭ３４に一時的に記憶させる。Ｓ１１９においてＣＰＵ３２は、スキャンデータを携帯電話１０へ送信する。
【００４２】
Ｓ１２０においてＣＰＵ３２は、携帯電話１０から受信したスキャンコマンドの種類を判断する。第１スキャンコマンドを受信した場合（Ｓ１２０：第１スキャンコマンド）には、スキャン画像を携帯電話１０のパネル１８に表示させる場合であるので、図５のＳ１２９へ進む。一方、第２スキャンコマンドを受信した場合（Ｓ１２０：第２スキャンコマンド）には、スキャン画像を第１ＭＦＰ５１のパネル３９に表示させる場合であるので、Ｓ１２１へ進む。Ｓ１２１においてＣＰＵ３２は、スキャン画像をパネル３９に表示させる。そして図５のＳ１２９へ進む。
【００４３】
Ｓ１２９においてＣＰＵ３２は、携帯電話１０から終了コマンドを受信したか否かを判断する。受信していない場合（Ｓ１２９：ＮＯ）にはＳ１３３へ進み、受信した場合（Ｓ１２９：ＹＥＳ）にはＳ１３１へ進む。Ｓ１３１においてＣＰＵ３２は、パネル３９へのスキャン画像の表示を終了させ、ＲＡＭ３４に記憶されているスキャンデータを削除する。そしてＳ１３３へ進む。
【００４４】
Ｓ１３３においてＣＰＵ３２は、携帯電話１０からＦＡＸ送信コマンドおよびＦＡＸ番号を受信したか否かを判断する。受信していない場合（Ｓ１３３：ＮＯ）にはＳ１３９へ進み、受信した場合（Ｓ１３３：ＹＥＳ）にはＳ１３５へ進む。Ｓ１３５においてＣＰＵ３２は、ＲＡＭ３４に記憶されているスキャンデータを、受信したＦＡＸ番号で特定される送信先へＦＡＸ送信する。そしてＳ１３９へ進む。
【００４５】
Ｓ１３９においてＣＰＵ３２は、第１切り替えコマンドを携帯電話１０から受信したか否かを判断する。受信していない場合（Ｓ１３９：ＮＯ）にはＳ１４３へ進み、受信した場合（Ｓ１３９：ＹＥＳ）にはＳ１４１へ進む。Ｓ１４１においてＣＰＵ３２は、Ｓ１２１においてパネル３９にスキャン画像を表示させている場合には、当該スキャン画像の表示を終了させる。そしてＳ１４３へ進む。
【００４６】
Ｓ１４３においてＣＰＵ３２は、第２切り替えコマンドおよびトリミング画像データを、携帯電話１０から受信したか否かを判断する。受信していない場合（Ｓ１４３：ＮＯ）には図４のＳ１０６へ戻り、受信した場合（Ｓ１４３：ＹＥＳ）にはＳ１４５へ進む。Ｓ１４５においてＣＰＵ３２は、受信したトリミング画像データを、ＲＡＭ３４へ一時的に記憶させる。Ｓ１４７においてＣＰＵ３２は、トリミング画像データによって表されるトリミング画像を、パネル３９に表示させる。そしてＳ１０６へ戻る。
【００４７】
＜効果＞
第１実施形態に開示されている技術では、携帯電話１０が備えるパネル１８と第１ＭＦＰ５１が備えるパネル３９とのうち、よりパネルが大きい方へ、第１ＭＦＰ５１で行われるスキャン処理によって生成されたスキャンデータによって表されるスキャン画像を表示させることができる（例：Ｓ２２、Ｓ１２１）。よって、生成されたスキャン画像の視認性を高くすることができるため、ユーザがスキャン画像の結果を確認しやすくなり、利便性を高めることが可能となる。
【００４８】
第１実施形態に開示されている技術では、生成されたスキャンデータに対して、各種の画像処理を実行させるための命令を受け付けるためのボタン画像（例：トリミングボタン画像、ＦＡＸ送信ボタン画像、保存ボタン画像、キャンセルボタン画像）を、携帯電話１０のパネル１８に表示させることができる（例：Ｓ２２、Ｓ２３）。これにより、例えば、第１ＭＦＰ５１のパネル３９をスキャン画像を表示するために機能させ、携帯電話１０のパネル１８を各種のボタン画像を表示させるために機能させる、などのように、パネルの機能を携帯電話１０と第１ＭＦＰ５１との間で分担させることができる。よって、スキャン画像の視認性を向上させることと、操作性を向上させることを両立することが可能となる。
【００４９】
第１実施形態に開示されている技術では、携帯電話１０を、第１ＭＦＰ５１でＦＡＸ送信処理を実行するための情報であるＦＡＸ番号の入力を受け付ける端末として機能させることができる（例：Ｓ４３）。これにより、第１ＭＦＰ５１側でＦＡＸ番号等を入力する操作を行う必要を無くすことができるため、ユーザの利便性を高めることができる。
【００５０】
第１実施形態に開示されている技術では、生成されたスキャンデータに対する各種の画像処理（例：トリミング処理）を携帯電話１０で実行する場合には、各種の画像処理の対象となるスキャンデータによって表されるスキャン画像を、携帯電話１０のパネル１８に表示させることができる（例：Ｓ５１）。また、各種の画像処理の実行後には、処理後の画像データによって表される画像（例：トリミング画像）を、第１ＭＦＰ５１のパネル３９に表示させることができる（例：Ｓ１４７）。これにより、各種の画像処理を携帯電話１０で実行しやすくすることと、処理後の画像の視認性を向上させることを両立することが可能となる。
【００５１】
＜第２実施形態＞  
前述した第１実施形態は、携帯電話１０のパネル１８と第１ＭＦＰ５１のパネル３９の視認性の比較を、携帯電話１０側で行う形態であった。第２実施形態は、携帯電話１０のパネル１８と第１ＭＦＰ５１のパネル３９の視認性の比較を、第１ＭＦＰ５１側で行う形態である。第２実施形態では、第１ＭＦＰ５１の情報記憶領域３５ａは、ＭＦＰ視認性情報、携帯電話表示フラグ、ＭＦＰ表示フラグ、などを記憶している。なお、第２実施形態における携帯電話１０の構成や第１ＭＦＰ５１の構成は、第１実施形態の構成と同様でよいため、ここでは説明を省略する。
【００５２】
＜携帯電話の動作＞
図６および図３を用いて、携帯電話１０で行われる処理を説明する。図６のフローは、第１実施形態の図２のフローを一部変更したフローである。図６のフローにおいて、図２のフローに対して変更されているステップには、番号の末尾に「ａ」の符号が付されている。また、同一の番号が付されているステップの処理内容は同一であるため、説明を省略する場合がある。また、図３のフローの内容については前述しているため、説明を省略する。
【００５３】
図６のＳ５において、スキャン処理を実行させるＭＦＰが選択された場合（Ｓ５：ＹＥＳ）には、Ｓ１５ａへ進む。第２実施形態の説明例では、スキャン処理を実行させるＭＦＰとして第１ＭＦＰ５１が選択された場合を、以下に説明する。Ｓ１５ａにおいてＣＰＵ１１は、スキャンコマンドおよび携帯電話視認性情報を、第１ＭＦＰ５１へ送信する。スキャンコマンドは、第１ＭＦＰ５１にスキャン処理を実行させるための命令である。
【００５４】
Ｓ２０ａにおいてＣＰＵ１１は、第１ＭＦＰ５１から、携帯電話表示コマンドおよびＭＦＰ表示コマンドのどちらを受信したかを判断する。携帯電話表示コマンドは、スキャンデータによって表されるスキャン画像を、携帯電話１０のパネル１８に表示させるための命令である。ＭＦＰ表示コマンドは、スキャン画像を、第１ＭＦＰのパネル３９に表示させるための命令である。携帯電話表示コマンドを受信した場合（Ｓ２０ａ：携帯電話表示コマンド）にはＳ２１ａへ進み、ＣＰＵ１１は、携帯電話表示フラグを「オン」にする。そしてＳ２２へ進む。一方、ＭＦＰ表示コマンドを受信した場合（Ｓ２０ａ：ＭＦＰ表示コマンド）にはＳ２２ａへ進み、ＣＰＵ１１は、ＭＦＰ表示フラグを「オン」にする。そしてＳ２３へ進む。以後のステップについては、第１実施形態で説明済みであるため、ここでは説明を省略する。
【００５５】
＜ＭＦＰの動作＞
図７および図５を用いて、第１ＭＦＰ５１で行われる処理を説明する。図７のフローは、第１実施形態の図４のフローを一部変更したフローである。図７のフローにおいて、図４のフローに対して変更されているステップには、番号の末尾に「ａ」の符号が付されている。また、同一の番号が付されているステップの処理内容は同一であるため、説明を省略する場合がある。また、図５のフローの内容については前述しているため、説明を省略する。
【００５６】
図７のＳ１００ａにおいてＣＰＵ３２は、スキャンコマンドおよび携帯電話視認性情報を携帯電話１０から受信したか否かを判断する。受信していない場合（Ｓ１００ａ：ＮＯ）には図５のＳ１２９へ進み、受信した場合（Ｓ１００ａ：ＹＥＳ）にはＳ１０１ａへ進む。
【００５７】
Ｓ１０１ａにおいてＣＰＵ３２は、携帯電話１０のパネル１８と、第１ＭＦＰ５１のパネル３９のどちらの方が視認性が高いかを判断する。具体的には、ＣＰＵ３２は、第１ＭＦＰ５１のパネル３９の大きさについての情報を、情報記憶領域３５ａに記憶されているＭＦＰ視認性情報の中から検索する。またＣＰＵ３２は、携帯電話１０のパネル１８の大きさについての情報を、受信した携帯電話視認性情報から読み出す。そして、第１ＭＦＰ５１のパネル３９の大きさと携帯電話１０のパネル１８の大きさとを比較し、パネルが大きい方が視認性が高いと判断する。携帯電話１０のパネル１８の方が視認性が高い場合（Ｓ１０１ａ：携帯電話）には、Ｓ１０３ａへ進む。Ｓ１０３ａにおいてＣＰＵ３２は、情報記憶領域３５ａに記憶されている携帯電話表示フラグを「オン」にする。そしてＳ１０８へ進む。一方、Ｓ１０１ａにおいて、第１ＭＦＰ５１のパネル３９の方が視認性が高い場合（Ｓ１０１ａ：ＭＦＰ）には、Ｓ１０２ａへ進む。Ｓ１０２ａにおいてＣＰＵ３２は、ＭＦＰ表示フラグを「オン」にする。そしてＳ１０８へ進む。
【００５８】
Ｓ１１７ａにおいてＣＰＵ３２は、何れの表示フラグが「オン」であるかを判断する。携帯電話表示フラグが「オン」である場合（Ｓ１１７ａ：携帯電話表示フラグ）には、Ｓ１１８ａへ進む。Ｓ１１８ａにおいてＣＰＵ３２は、携帯電話表示コマンドおよびスキャンデータを携帯電話１０へ送信する。そして、図５のＳ１２９へ進む。一方、Ｓ１１７ａにおいて、ＭＦＰ表示フラグが「オン」である場合（Ｓ１１７ａ：ＭＦＰ表示フラグ）には、Ｓ１１９ａへ進む。Ｓ１１９ａにおいてＣＰＵ３２は、ＭＦＰ表示コマンドおよびスキャンデータを携帯電話１０へ送信する。そして、Ｓ１２１へ進む。
【００５９】
以後のステップについては、第１実施形態で説明済みであるため、ここでは説明を省略する。また、第２実施形態に開示されている技術で得られる効果は、前述した第１実施形態に開示されている技術で得られる効果と同様であるため、ここでは説明を省略する。
【００６０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。以下に変形例を説明する。
【００６１】
＜変形例＞
Ｓ７において、視認性の高さを判断する方法は、パネルの大きさを比較する方法に限られず、各種の方法であってよい。例えば、解像度を比較し、解像度の高い方が視認性が高いと判断してもよい。また、パネルの大きさと解像度の両方を用いて、視認性の高さを判断してもよい。
【００６２】
本実施形態では、スキャン処理をＭＦＰに実行させる場合の処理を説明したが、この形態に限られない。画像を表示する必要のある処理であれば、何れの種類の処理にも、本明細書に記載されている技術を適用することが可能である。例えば、印刷アプリケーション２８ｂによって第１ＭＦＰ５１に印刷処理を実行させる場合には、携帯電話１０のパネル１８と第１ＭＦＰ５１のパネル３９のうち、視認性の高い方に印刷プレビュー画像を表示するとしてもよい。これにより、ユーザが印刷結果を確認しやすくなるため、利便性を高めることが可能となる。
【００６３】
Ｓ１１９においてＣＰＵ３２がスキャンデータを携帯電話１０へ送信した後に、ＲＡＭ３４に記憶させていたスキャンデータを消去する態様としてもよい。この場合、Ｓ１３１においてＲＡＭ３４から削除される対象のデータは、Ｓ１４５においてＲＡＭ３４へ記憶させたトリミング画像データとなる。
【００６４】
第１ＭＦＰ５１が備えるファックス送信機能は、インターネットを介して画像データを送信する機能でもよい。また、第１ＭＦＰ５１が備える受信ファックス閲覧機能は、インターネットを介して受信した画像データを出力する機能でもよい。
【００６５】
携帯電話視認性情報およびＭＦＰ視認性情報は、各種の情報であってよく、例えばパネルの解像度を示す情報であってもよい。また、ユーザによってパネルの解像度を変更することができる仕様である場合には、変更後のパネルの解像度を、携帯電話視認性情報やＭＦＰ視認性情報として使用する態様であってもよい。また、携帯電話視認性情報およびＭＦＰ視認性情報は、パネルの表示方式を示す情報であってもよい。表示方式の一例としては、３Ｄ表示方式や２Ｄ表示方式が挙げられる。また、液晶表示方式や有機ＥＬ表示方式が挙げられる。
【００６６】
Ｓ４５においてＦＡＸ送信コマンドを送信した後、携帯電話表示フラグおよびＭＦＰ表示フラグを「オフ」にリセットした上で、フローを終了してもよい。この場合、第１ＭＦＰ５１側では、Ｓ１３５においてＦＡＸ送信を実行した後に、ＲＡＭ３４に記憶されているスキャンデータを削除するとしてもよい。そしてＳ４７へ進む。
【００６７】
スキャンデータに対して行われる処理は、トリミング処理やＦＡＸ送信処理に限られない。各種の処理であってよい。例えば、色調を変更する処理などの、各種の処理であってよい。
【００６８】
第１ＭＦＰ５１および第２ＭＦＰ５２と携帯電話１０との間で各種の情報を通信するために、無線ＬＡＮ通信を用いる形態を説明したが、この形態に限られず、例えばＮＦＣ（Near Field Communicationの略）通信を用いてもよい。
【００６９】
また携帯電話１０に代えて、ノートパソコンなどのＮＦＣ通信機能を有する機器を用いることも可能である。この場合、スキャンアプリケーション２８ａおよび印刷アプリケーション２８ｂは、ノートパソコンにインストールされている、各種のドライバソフトであってもよい。
【００７０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００７１】
なお、各プログラムは一つのプログラムモジュールから構成されるものであってもよいし、複数のプログラムモジュールから構成されるものであってもよい。また、各一例は置換可能な他の構成であってもよく、本発明の範疇である。画像処理プログラム（スキャンアプリケーション２８ａなど）に基づく処理を実行するコンピュータ（ＣＰＵ１１など）であってもよいし、オペレーティングシステムや他のアプリケーションなど、画像処理プログラム以外のプログラムに基づく処理を実行するコンピュータであってもよいし、コンピュータの指示に従って動作するハード構成（パネル１８など）であってもよいし、コンピュータとハード構成とが連動した構成であってもよい。もちろん、複数のプログラムに基づく処理を連動させて処理を実行するコンピュータであってもよいし、複数のプログラムに基づく処理を連動させて処理を実行するコンピュータの指示に従って動作するハード構成であってもよい。
【００７２】
第１ＭＦＰ５１および第２ＭＦＰ５２は、画像処理装置の一例である。無線送受信部１５は、第１通信部の一例である。パネル１８は、第１表示部の一例である。携帯電話１０は、情報処理端末の一例である。ＣＰＵ１１および３２は、コンピュータの一例である。スキャン処理は、第１画像処理の一例である。第１および第２スキャンコマンドは、第１画像処理の実行命令の一例である。Ｓ１１、Ｓ１５、Ｓ１１８ａ、Ｓ１１９を実行するＣＰＵは、第１通信制御手段の一例である。携帯電話視認性情報は、第１表示部の視認性に関する情報の一例である。パネル３９は、第２表示部の一例である。ＭＦＰ視認性情報は、第２表示部の視認性に関する情報の一例である。Ｓ７を実行するＣＰＵは、比較手段の一例である。スキャンデータは、第１画像データの一例である。スキャン画像は、第１画像の一例である。第２スキャンコマンドは、第１画像を第２表示部に表示させる命令の一例である。Ｓ１５、Ｓ２２、Ｓ１１８ａ、Ｓ１２１を実行するＣＰＵは、第１表示制御手段の一例である。トリミング処理、ＦＡＸ送信処理、保存処理は、第２画像処理の一例である。Ｓ３１、Ｓ４５、Ｓ５３、Ｓ１３１、Ｓ１３５、Ｓ１４７を実行するＣＰＵは、処理実行制御手段の一例である。ＦＡＸ送信ボタン画像は、第１オブジェクト画像の一例である。Ｓ２２、Ｓ２３を実行するＣＰＵは、第２表示制御手段の一例である。ＦＡＸ送信コマンドは、第２画像処理の実行命令の一例である。ＦＡＸ番号は、処理情報の一例である。トリミングボタン画像は、第２オブジェクト画像の一例である。Ｓ２２、Ｓ２３を実行するＣＰＵは、第３表示制御手段の一例である。Ｓ５１を実行するＣＰＵは、第４表示制御手段の一例である。第２切り替えコマンドは、第２画像を第２表示部に表示させる命令の一例である。無線送受信部３６は、第２通信部の一例である。Ｓ１１８ａ、Ｓ１１９を実行するＣＰＵは、第１通信制御手段の一例である。第１切り替えコマンドは、報知情報の一例である。
【符号の説明】
【００７３】
１：通信システム、１０：携帯電話、１１および３２：ＣＰＵ、１５および３６：無線送受信部、１８および３９：パネル、２８ａ：スキャンアプリケーション、５１：第１ＭＦＰ
【図１】
2014022960.tif 000003
【図２】
2014022960.tif 000004
【図３】
2014022960.tif 000005
【図４】
2014022960.tif 000006
【図５】
2014022960.tif 000007
【図６】
2014022960.tif 000008
【図７】
2014022960.tif 000009